(57)【要約】  順応状態判定部（１１２）は、色に対する運転者の順応状態を判定する。目標色決定部（１１３）は、前記運転者の前記順応状態に基づいて表示範囲の目標色を決定する。適用色決定部（１１５）は、前記目標色に基づいてディスプレイの画面において情報が表示される表示部分の適用色を決定する。制御部（１１６）は、前記表示部分の適用色に基づいて前記ディスプレイを制御する。
2020012546.tif 000002
【特許請求の範囲】
【請求項１】
ディスプレイが搭載された車両について外光色の時系列を示す外光色データに基づいて、色に対する運転者の順応状態を判定する順応状態判定部と、
前記運転者の前記順応状態に基づいて表示範囲の目標色を決定する目標色決定部と、
前記目標色に基づいて前記ディスプレイの画面において情報が表示される表示部分の適用色を決定する適用色決定部と、
前記表示部分の前記適用色に基づいて前記ディスプレイを制御する制御部と
を備える車載表示制御装置。
【請求項２】
前記車載表示制御装置は、さらに、
前記車両の外光色に基づいて、前記表示部分の暫定色を決定する暫定色決定部を備え、
前記適用色決定部は、前記表示部分の色が前記暫定色に調整された場合における前記表示範囲の推定色を算出し、前記推定色を前記目標色と比較し、比較結果に基づいて前記表示部分の前記適用色を決定する
請求項１に記載の車載表示制御装置。
【請求項３】
前記外光色データは、外光の明るさの度合いである外光強度の時系列を示し、
前記順応状態判定部は、前記外光色データに基づいて、色における明るさに対する順応状態を前記運転者の前記順応状態として判定し、
前記目標色決定部は、明るさに対する前記順応状態に基づいて前記表示範囲の目標輝度を前記目標色として決定し、
前記暫定色決定部、前記車両の外光色に基づいて、前記表示部分の暫定輝度を前記暫定色として決定し、
前記適用色決定部は、前記表示部分の輝度が前記暫定輝度に調整された場合における前記表示範囲の推定輝度を前記推定色として算出し、前記推定輝度を前記目標輝度と比較し、比較結果に基づいて前記表示部分の適用輝度を前記適用色として決定し、
前記制御部は、前記表示部分の前記適用輝度に基づいて前記ディスプレイを制御する
請求項２に記載の車載表示制御装置。
【請求項４】
前記目標色決定部は、外光を発する光源までの距離である光源距離の時系列を示す光源距離データに基づいて光源距離の変化傾向を判定し、光源距離の前記変化傾向に基づいて前記ディスプレイの前記目標色を調整する
請求項１から請求項３のいずれか１項に記載の車載表示制御装置。
【請求項５】
前記車両には、カメラと距離センサとが搭載され、
前記車載表示制御装置は、
前記カメラによって得られる周辺画像に基づいて光源方向を判定し、前記光源方向に位置する前記光源までの距離を前記距離センサを用いて測定する距離検知部を備える
請求項４に記載の車載表示制御装置。
【請求項６】
前記車両には、通信装置が搭載され、
前記車載表示制御装置は、
前記通信装置を用いて対向車と通信することによって前記対向車の位置情報を取得し、前記対向車の前記位置情報と前記車両の位置情報とに基づいて光源距離を算出する距離検知部を備える
請求項４に記載の車載表示制御装置。
【請求項７】
前記車両には、カメラが搭載され、
前記車載表示制御装置は、
対向車のヘッドライトが配光可変ヘッドライトであるか判定する光源検知部と、
前記カメラによって得られる周辺画像に基づいて外光色を算出し、前記対向車の前記ヘッドライトが前記配光可変ヘッドライトである場合に、算出した外光色を調整する外光色推定部とを備える
請求項１または請求項２に記載の車載表示制御装置。
【請求項８】
前記光源検知部は、前記周辺画像を画像解析することによって、前記周辺画像に映っている前記ヘッドライトが前記配光可変ヘッドライトであるか判定する
請求項７に記載の車載表示制御装置。
【請求項９】
前記車両には、通信装置が搭載され、
前記光源検知部は、前記通信装置を用いて前記対向車と通信することによって前記対向車からヘッドライト情報を取得し、前記ヘッドライト情報に基づいて前記ヘッドライトが前記配光可変ヘッドライトであるか判定する
請求項７に記載の車載表示制御装置。
【請求項１０】
前記車両には、カメラと光センサとが搭載され、
前記車載表示制御装置は、
前記カメラによって得られる周辺画像に基づいて外光色を算出し、前記光センサを用いて車内色を測定し、算出した外光色を前記車内色に基づいて調整する外光色推定部を備える
請求項１または請求項２に記載の車載表示制御装置。
【請求項１１】
前記車両には、カメラと光センサとが搭載され、
前記車載表示制御装置は、
前記カメラによって得られる周辺画像に基づいて外光強度を算出し、前記光センサを用いて車内輝度を測定し、算出した外光強度を前記車内輝度に基づいて調整する外光強度推定部を備える
請求項３に記載の車載表示制御装置。
【請求項１２】
ディスプレイが搭載された車両について外光色の時系列を示す外光色データに基づいて、色に対する運転者の順応状態を判定する順応状態判定処理と、
前記運転者の前記順応状態に基づいて表示範囲の目標色を決定する目標色決定処理と、
前記目標色に基づいて前記ディスプレイの画面において情報が表示される表示部分の適用色を決定する適用色決定処理と、
前記表示部分の前記適用色に基づいて前記ディスプレイを制御する制御処理と
をコンピュータに実行させるための車載表示制御プログラム。
【発明の詳細な説明】
【技術分野】
【０００１】
本発明は、車載表示の輝度を調整する技術に関するものである。
【背景技術】
【０００２】
夜間運転時において対向車のヘッドライトまたは周辺の街灯などから強い光が出射される。
特許文献１では、強い光に対する運転者への不快グレアの発生を防止し、運転者の視覚特性を改善し、暗所運転時の視覚を良好にするための運転視覚支援装置が提案されている。
この装置は、運転者の眼に対して光を照射することによって、暗所運転時の運転者の眼の瞳孔径を制御する。【０００３】
以下の非特許文献には、人間の視覚に関する情報が記載されている。
非特許文献１には、感じられる光の強度が明るさと時間経過とによって異なることが記載されている。
非特許文献２には、色に対する順応状態を考慮して定量化された色空間についての色の見えモデルが記載されている。
非特許文献３には、ＣＩＥ（国際照明委員会）及びＩＳＯ（国際標準化機構）で標準化されたＣＩＥＤＥ２０００を用いて色差を求めることが記載されている。
非特許文献４には、文字または記号について色差を用いた予測式の研究が記載されている。
【先行技術文献】
【特許文献】
【０００４】
【特許文献１】特開２００７−１４１７号公報
【非特許文献】
【０００５】
【非特許文献１】Ｌｉｇｈｔ  ａｎｄ  Ｄａｒｋ  Ａｄａｐｔａｔｉｏｎ  ｂｙ  Ｍｉｃｈａｅｌ  Ｋａｌｌｏｎｉａｔｉｓ  ａｎｄ  Ｃｈａｒｌｅｓ  Ｌｕｕ  −  Ｗｅｂｖｉｓｉｏｎ
【非特許文献２】ＣＩＥ  １５９  Ａ  ｃｏｌｏｕｒ  ａｐｐｅａｒａｎｃｅ  ｍｏｄｅｌ  ｆｏｒ  ｃｏｌｏｕｒ  ｍａｎａｇｅｍｅｎｔ  ｓｙｓｔｅｍｓ：  ＣＩＥＣＡＭ０２
【非特許文献３】ＩＳＯ  １１６６４−６／ＣＩＥ  ０１４−６  Ｃｏｌｏｒｉｍｅｔｒｙ  −  Ｐａｒｔ  ６：  ＣＩＥＤＥ２０００  Ｃｏｌｏｕｒ−Ｄｉｆｆｅｒｅｎｃｅ  Ｆｏｒｍｕｌａ
【非特許文献４】齋藤ら、明度差と色差による文字色と背景色の視認性予測手法、バイオメディカル・ファジィ・システム学会誌Ｖｏｌ．１６，Ｎｏ．１，  ｐｐ．９１  −  ９６  （２０１４）
【発明の概要】
【発明が解決しようとする課題】
【０００６】
運転者は、車外だけを見ているのではなく、車両に搭載されたディスプレイも見ている。また、運転者の眼の瞳孔径が変わると、眼に入射される光の量が変わり、視覚について運転者の順応状態も変わる。そして、ディスプレイの周囲の環境光が明るくなると、ディスプレイが見えにくくなってしまう。特に、ヘッドアップディスプレイでは、運転者が視認する虚像に外の風景および外光が重畳されるため、より見えにくくなる。【０００７】
本発明は、車両に搭載されたディスプレイの表示を見やすくできるようにすることを目的とする。
【課題を解決するための手段】
【０００８】
本発明の車載表示制御装置は、
ディスプレイが搭載された車両について外光色の時系列を示す外光色データに基づいて、色に対する運転者の順応状態を判定する順応状態判定部と、
前記運転者の前記順応状態に基づいて表示範囲の目標色を決定する目標色決定部と、
前記目標色に基づいて前記ディスプレイの画面において情報が表示される表示部分の適用色を決定する適用色決定部と、
前記表示部分の前記適用色に基づいて前記ディスプレイを制御する制御部とを備える。
【発明の効果】
【０００９】
本発明によれば、車両に搭載されたディスプレイの表示を見やすくすることができる。
【図面の簡単な説明】
【００１０】
【図１】実施の形態１における車載システム２００の構成図。
【図２】実施の形態１における車載表示制御装置１００の構成図。
【図３】実施の形態１における車載表示制御方法のフローチャート。
【図４】実施の形態１における外光強度推定処理（Ｓ１１０）のフローチャート。
【図５】実施の形態１における順応曲線データを示す図。
【図６】実施の形態２における車載表示制御装置１００の構成図。
【図７】実施の形態２における車載表示制御方法のフローチャート。
【図８】実施の形態２における外光色推定処理（Ｓ２１０）のフローチャート。
【図９】実施の形態３における車載システム２００の構成図。
【図１０】実施の形態３における車載表示制御装置１００の構成図。
【図１１】実施の形態３における車載表示制御方法のフローチャート。
【図１２】実施の形態４における車載システム２００の構成図。
【図１３】実施の形態４における車載表示制御装置１００の構成図。
【図１４】実施の形態４における車載表示制御方法のフローチャート。
【図１５】実施の形態４における外光強度推定処理（Ｓ４１０）のフローチャート。
【図１６】実施の形態５における車載システム２００の構成図。
【図１７】実施の形態５における車載表示制御方法のフローチャート。
【図１８】実施の形態５における外光強度推定処理（Ｓ５１０）のフローチャート。
【図１９】各実施の形態における車載表示制御装置１００のハードウェア構成図。
【発明を実施するための形態】
【００１１】
実施の形態および図面において、同じ要素および対応する要素には同じ符号を付している。同じ符号が付された要素の説明は適宜に省略または簡略化する。図中の矢印はデータの流れ又は処理の流れを主に示している。
【００１２】
実施の形態１．
外光の強度に基づいて車載表示の輝度を制御する形態について、図１から図５に基づいて説明する。
なお、色は、色相、明度および彩度の３つの要素で構成されており、実施の形態１では３つの要素のうちの明度に着目し、外光に関して明度の度合いを示す強度を用いるものとする。
【００１３】
＊＊＊構成の説明＊＊＊
図１に基づいて、車載システム２００の構成を説明する。
車載システム２００は、車両に搭載されるシステムである。
具体的な車両は自動車である。但し、車載システム２００は自動車以外の車両（例えば、電車）に搭載されてもよい。
【００１４】
車載システム２００は、車載表示制御装置１００とディスプレイ２０１とカメラ２１１とを備える。
ディスプレイ２０１は、虚像を表示させるための装置である。ディスプレイ２０１は、表示装置ともいう。具体的なディスプレイ２０１は、ヘッドアップディスプレイである。
カメラ２１１は、撮像装置または撮像センサともいう。
【００１５】
図２に基づいて、車載表示制御装置１００の構成を説明する。
車載表示制御装置１００は、プロセッサ１０１とメモリ１０２と補助記憶装置１０３と入出力インタフェース１０４といったハードウェアを備えるコンピュータである。これらのハードウェアは、信号線を介して互いに接続されている。
【００１６】
プロセッサ１０１は、演算処理を行うＩＣ（Ｉｎｔｅｇｒａｔｅｄ  Ｃｉｒｃｕｉｔ）であり、他のハードウェアを制御する。例えば、プロセッサ１０１は、ＣＰＵ（Ｃｅｎｔｒａｌ  Ｐｒｏｃｅｓｓｉｎｇ  Ｕｎｉｔ）、ＧＰＵ（Ｇｒａｐｈｉｃｓ  Ｐｒｏｃｅｓｓｉｎｇ  Ｕｎｉｔ）またはこれらの組み合わせである。
メモリ１０２は揮発性の記憶装置である。メモリ１０２は、主記憶装置またはメインメモリとも呼ばれる。例えば、メモリ１０２はＲＡＭ（Ｒａｎｄｏｍ  Ａｃｃｅｓｓ  Ｍｅｍｏｒｙ）である。メモリ１０２に記憶されたデータは必要に応じて補助記憶装置１０３に保存される。
補助記憶装置１０３は不揮発性の記憶装置である。例えば、補助記憶装置１０３は、ＲＯＭ（Ｒｅａｄ  Ｏｎｌｙ  Ｍｅｍｏｒｙ）、ＨＤＤ（Ｈａｒｄ  Ｄｉｓｋ  Ｄｒｉｖｅ）、またはフラッシュメモリである。補助記憶装置１０３に記憶されたデータは必要に応じてメモリ１０２にロードされる。
入出力インタフェース１０４は入力装置および出力装置が接続されるポートである。具体的には、入出力インタフェース１０４には、ディスプレイ２０１およびカメラ２１１などが接続される。
【００１７】
車載表示制御装置１００は、外光強度推定部１１１と順応状態判定部１１２と目標色決定部１１３と暫定色決定部１１４と適用色決定部１１５と制御部１１６といった要素を備える。これらの要素はソフトウェアで実現される。外光強度推定部１１１は外光色推定部の一例である。
【００１８】
補助記憶装置１０３には、外光強度推定部１１１と順応状態判定部１１２と目標色決定部１１３と暫定色決定部１１４と適用色決定部１１５と制御部１１６としてコンピュータを機能させるための車載表示制御プログラムが記憶されている。車載表示制御プログラムは、メモリ１０２にロードされて、プロセッサ１０１によって実行される。
さらに、補助記憶装置１０３にはＯＳ（Ｏｐｅｒａｔｉｎｇ  Ｓｙｓｔｅｍ）が記憶されている。ＯＳの少なくとも一部は、メモリ１０２にロードされて、プロセッサ１０１によって実行される。
つまり、プロセッサ１０１は、ＯＳを実行しながら、車載表示制御プログラムを実行する。
車載表示制御プログラムを実行して得られるデータは、メモリ１０２、補助記憶装置１０３、プロセッサ１０１内のレジスタ、または、プロセッサ１０１内のキャッシュメモリといった記憶装置に記憶される。
【００１９】
メモリ１０２は、車載表示制御装置１００で使用されるデータを記憶する記憶部１２０として機能する。但し、他の記憶装置が、メモリ１０２の代わりに、又は、メモリ１０２と共に、記憶部１２０として機能してもよい。
【００２０】
車載表示制御装置１００は、プロセッサ１０１を代替する複数のプロセッサを備えてもよい。複数のプロセッサは、プロセッサ１０１の役割を分担する。
【００２１】
車載表示制御プログラムは、光ディスクまたはフラッシュメモリ等の不揮発性の記録媒体にコンピュータ読み取り可能に記録（格納）することができる。
【００２２】
＊＊＊動作の説明＊＊＊
車載表示制御装置１００の動作は車載表示制御方法に相当する。また、車載表示制御方法の手順は車載表示制御プログラムの手順に相当する。
【００２３】
図３に基づいて、車載表示制御方法を説明する。
以降の説明において、車載システム２００が搭載された車両を単に車両という。
【００２４】
ステップＳ１１０からステップＳ１６０は繰り返し実行される。
【００２５】
ステップＳ１１０において、外光強度推定部１１１は、車両の外光強度を推定する。
車両の外光強度とは、車両の中に届く外光の強度（輝度、照度または明度など）を意味する。
【００２６】
図４に基づいて、外光強度推定処理（Ｓ１１０）の手順を説明する。
ステップＳ１１１において、外光強度推定部１１１は、周辺画像を取得する。
周辺画像は、車両の周辺が映った画像である。
【００２７】
具体的には、カメラ２１１が車両の周辺を撮影する。この撮影によって得られる画像が周辺画像である。そして、外光強度推定部１１１は、カメラ２１１から周辺画像を取得する。
【００２８】
ステップＳ１１２において、外光強度推定部１１１は、周辺画像の各画素の値を光強度に換算する。
【００２９】
例えば、外光強度推定部１１１は、周辺画像の画素毎に、画素値とカメラ２１１の設定値とに対応する光強度を強度換算テーブルから取得する。
カメラ２１１の設定値は、カメラ２１１から得られる。例えば、カメラ２１１の設定値は、シャッタスピード、露光時間および絞り値などである。
強度換算テーブルは、複数の画素値と複数の設定値と複数の光強度とを互いに対応付けるテーブルであり、記憶部１２０に予め記憶される。
【００３０】
ステップＳ１１２について補足する。
外光強度推定部１１１は、カメラ２１１を用いて車両周辺を撮影し、得られた画像から外光を検知する。
カメラ２１１による撮影では、太陽またはヘッドライトなどの外部光源から車内に届く光が観測される。具体的には、直接届く光、ガラスを透過して届く光および物体に反射して届く光などが観測される。
そして、シャッタスピード、露光時間および絞り値などのカメラ２１１の設定値により、観測された光の濃度が異なる。例えば、夜間だと光が弱いため、夜間には、昼間における露光時間よりも長い露光時間がカメラ２１１に設定される。露光時間が長ければ、光が積算されて、かなり明瞭な画像が得られる。その結果として、昼間の撮影で得られる画像とほぼ同様の画像が夜間の撮影で得られる。しかし、夜間における実際の光の強度は小さい。
そこで、画素の値とカメラ２１１の設定値と光の強度との対応を予め求めておく。そして、外光強度推定部１１１は、その対応を用いて実際の光の強度を推定する。
【００３１】
ステップＳ１１３から説明を続ける。
ステップＳ１１３において、外光強度推定部１１１は、周辺画像の各画素の光強度に基づいて、車両の外光強度を算出する。
【００３２】
外光強度推定部１１１は、車両の外光強度を以下のように算出する。
まず、外光強度推定部１１１は、周辺画像から特定領域を選択する。
そして、外光強度推定部１１１は、特定領域の各画素の光強度を用いて、車両の外光強度を算出する。例えば、外光強度推定部１１１は、特定領域の光強度の平均を算出する。算出される光強度が車両の外光強度である。
【００３３】
ステップＳ１１３について補足する。
外光強度推定部１１１は、検知した外光について、車内に届く外光の強度を推定する。簡単には、周辺画像の特定の領域に含まれる光が車内に届くと仮定することができる。その理由は、周辺画像のすべての領域の光が車内に届くわけではないからである。
【００３４】
ステップＳ１１４を説明する。
ステップＳ１１４において、外光強度推定部１１１は、車両の外光強度を時刻に対応付けて外光強度データに登録する。外光強度データは外光色データの一例である。
外光強度データは、外光強度の時系列を示すデータである。つまり、外光強度データは、１つ以上の外光強度を時系列で示す。外光強度データは記憶部１２０に記憶される。
【００３５】
図３に戻り、ステップＳ１２０から説明を続ける。
ステップＳ１２０において、順応状態判定部１１２は、外光強度データに基づいて、視覚について運転者の順応状態を判定する。
運転者の順応状態は、明暗順応と経過時間とで表される。
【００３６】
明暗順応は、明順応または暗順応である。
明順応は、暗い環境から明るい環境への変化に順応することである。
暗順応は、明るい環境から暗い環境への変化に順応することである。
【００３７】
明順応の経過時間は、車内環境が暗い環境から明るい環境に変化した後の経過時間である。
暗順応の経過時間は、車内環境が明るい環境から暗い環境に変化した後の経過時間である。
【００３８】
順応状態判定部１１２は、明暗順応を以下のように判定する。
順応状態判定部１１２は、外光強度データに示される現在の外光強度に基づいて、現在の車内環境が明るい環境と暗い環境とのいずれに該当するか判定する。
例えば、順応状態判定部１１２は、現在の外光強度を強度閾値と比較し、比較結果に基づいて現在の車内環境を判定する。現在の外光強度が強度閾値以上であれば現在の車内環境は明るい環境である。現在の外光強度が強度閾値未満であれば車内環境は暗い環境である。強度閾値は予め決められる。
現在の車内環境が明るい環境であれば、順応状態は明順応である。
現在の車内環境が暗い環境であれば、順応状態は暗順応である。
【００３９】
順応状態判定部１１２は、順応状態についての経過時間を以下のように判定する。
順応状態判定部１１２は、外光強度データに示される１つ以上の外光強度に基づいて、順応状態についての経過時間を算出する。
例えば、順応状態判定部１１２は、外光強度データから時刻の新しい順に外光強度を取得し、取得した外光強度に基づいて当該時刻における明暗順応を判定する。そして、順応状態判定部１１２は、各時刻における明暗順応に基づいて、現在の明暗順応の経過時間を算出する。
【００４０】
ステップＳ１３０において、目標色決定部１１３は、運転者の順応状態に基づいて、虚像表示範囲の目標輝度を決定する。
虚像表示範囲は、ディスプレイ２０１の表示範囲の一例である。具体的には、虚像表示範囲は、ディスプレイ２０１がヘッドアップディスプレイである場合においてディスプレイ２０１によって虚像が表示される範囲である。
虚像表示範囲の目標輝度は、虚像表示範囲の輝度の目標値である。
【００４１】
目標色決定部１１３は、目標輝度を以下のように決定する。
まず、目標色決定部１１３は、順応曲線データから、運転者の順応状態に対応する順応輝度を取得する。順応曲線データについては後述する。
そして、目標色決定部１１３は、順応輝度にオフセット輝度を足す。これによって算出される輝度が目標輝度である。オフセット輝度は、予め決められた輝度である。
【００４２】
図５に基づいて、順応曲線データを説明する。
順応曲線データは、順応曲線を示すデータである。
順応曲線は、順応輝度と経過時間と明暗順応とを互いに対応付けて示すグラフである。
順応輝度は、人の光覚が発揮される最小輝度の推定値である。
光覚は、光の刺激に対する感覚である。言い換えると、光覚とは、光の明暗および光のくる方向などを受容することである。
輝度は、光束発散度に換算することができる。輝度は「ｃｄ／ｍ２」という単位で表される。光束発散度は「ｌｍ／ｍ２」という単位で表される。「ｃｄ」はカンデラを意味し、「ｌｍ」はルーメンを意味し、「ｍ２」は平方メートルを意味する。
【００４３】
ステップＳ１３０について補足する。
目標色決定部１１３は、車内に届く光の強度に基づいて、運転者に必要な順応状態を推定する。
人間の視覚系における順応の機能は、様々な明るさの環境においても物体を正しく認識できるように働いている。瞳孔径の調節だけでなく、人間は、網膜の細胞の感度を変化させることによって、環境の明るさに順応しているのである。
暗い環境から明るい環境への変化に順応することを明順応といい、明るい環境から暗い環境への変化に順応することを暗順応という。
周囲環境が突然、急激に変化すると、順応が追いつかず視覚機能が一時的に大幅に低下する。このような現象は、車両がトンネルに入ったとき、車両がトンネルから出たとき、または、対向車のヘッドライトが急に当たったとき等に起こる。
しかし、しばらくすると視覚機能が周囲の明るさに順応し、視覚機能はほぼ回復する。
【００４４】
図５の順応曲線のように、感じられる光の強度が明るさと時間経過とによって異なることが、古くから実験されている（非特許文献１を参照）。
【００４５】
つまり、同時に弁別できる明暗範囲は限られている。そのため、同じ光の強さでも、順応状態により、弁別できる場合と弁別できない場合とがある。
同様に、同じ光の強さでも、順応状態により、眩しく感じるときと感じないときがある。通常、１０の３乗の光の領域を検知できる範囲が、人間が眩しく感じるかどうかの基準となる。
但し、検知できることと眩しく感じることとは互いに別の感覚である。眩しく感じる範囲は実験にて求めることができるが、簡易的には、最小の輝度（順応輝度）から最小の輝度よりも１０の２乗大きい輝度までの範囲を眩しく感じる範囲と定義することができる。この場合、ステップＳ１３０において、１０の２乗［ｃｄ／ｍ２］がオフセット輝度として使用される。
これにより、運転者を順応状態にするために必要な輝度として、最小の輝度および目標の輝度を推定することが可能となる。
【００４６】
ステップＳ１４０から説明を続ける。
ステップＳ１４０において、暫定色決定部１１４は、車両の外光強度と背景部分の基準輝度と目標コントラスト比とに基づいて、表示部分の暫定輝度を決定する。
基準輝度は、輝度の基準値である。
目標コントラスト比は、表示部分の輝度と背景部分の輝度とのコントラスト比の目標値である。目標コントラスト比は予め決められる。
表示部分は、ディスプレイ２０１の画面において情報が表示される部分である。情報の種類は、文字または図などである。
背景部分は、ディスプレイ２０１の画面において情報が表示されない部分である。
暫定輝度は、表示部分の輝度の暫定値である。
【００４７】
具体的には、暫定輝度は、外光強度が加わった場合に基準輝度とのコントラスト比が目標コントラスト比となる輝度である。
【００４８】
例えば、暫定色決定部１１４は、以下の式を計算することによって暫定輝度を算出する。
（Ｂ＋Ｅ）：（Ｘ＋Ｅ）＝１：Ｃ
「Ｘ」は暫定輝度である。
「Ｅ」は外光強度である。
「Ｂ」は基準輝度である。
「１：Ｃ」は目標コントラスト比である。
【００４９】
ステップＳ１４０について補足する。
暫定色決定部１１４は、ディスプレイ２０１の視認性を維持する輝度を予測する。ディスプレイ２０１がヘッドアップディスプレイである場合、車内に届く外光が背景光として加わる。つまり、ディスプレイ２０１の背景部分はオフセットがのった状態になる。そのため、外光が強いと、急激にディスプレイ２０１の視認性が低下する。そこで、オフセットがのった状態においても表示が阻害されない視認性を維持する必要がある。
例えば、外光がない場合に、０．１  ｃｄ／ｍ２の背景に３０  ｃｄ／ｍ２の白い光で情報が表示されると仮定する。この場合、コントラスト比は１：３００である。次に、外光がある場合を仮定する。外光がＥ  ｃｄ／ｍ２である場合、コントラスト比は（Ｅ＋０．１）：（Ｅ＋３０）となる。つまり、外光強度Ｅが大きくなるほど、白い光の表示が見にくくなる。そこで、白い光の表示を強くすることが要求される。基本的には、目標コントラスト比が維持されるように暫定輝度を設定すべきである。但し、ディスプレイ２０１において輝度の上限があるため、暫定輝度はディスプレイ２０１の最大輝度以下になる。
【００５０】
ステップＳ１５０において、適用色決定部１１５は、ディスプレイ２０１の目標輝度と表示部分の暫定輝度とに基づいて、ディスプレイ２０１の適用輝度を決定する。
具体的には、適用色決定部１１５は、表示部分の適用輝度と背景部分の適用輝度とを決定する。
適用輝度は、ディスプレイ２０１の該当部分に適用される輝度である。
【００５１】
適用色決定部１１５は、ディスプレイ２０１の適用輝度を以下のように決定する。
まず、適用色決定部１１５は、表示部分の輝度が暫定輝度に調整された場合における虚像表示範囲の推定輝度を算出する。例えば、適用色決定部１１５は、外光輝度と暫定輝度と基準輝度との平均を算出する。算出される輝度が虚像表示範囲の推定輝度である。
次に、適用色決定部１１５は、虚像表示範囲の推定輝度を目標輝度と比較する。
そして、適用色決定部１１５は、比較結果に基づいて、表示部分の適用輝度と背景部分の適用輝度とを決定する。
【００５２】
例えば、適用色決定部１１５は、表示部分の適用輝度と背景部分の適用輝度とを以下のように決定する。
虚像表示範囲の推定輝度が目標輝度以上である場合、適用色決定部１１５は、暫定輝度を表示部分の適用輝度に決定し、基準輝度を背景部分の適用輝度に決定する。
虚像表示範囲の推定輝度が目標輝度未満である場合、適用色決定部１１５は、基準輝度に背景部分用のオフセット値を足すことによって算出される輝度を背景部分の適用輝度に決定する。また、適用色決定部１１５は、暫定輝度を表示部分の適用輝度に決定する。但し、適用色決定部１１５は、暫定輝度に表示部分用のオフセット値を足すことによって算出される輝度を表示部分の適用輝度に決定してもよい。
【００５３】
ステップＳ１５０について補足する。
適用色決定部１１５は、目標輝度と暫定輝度とに基づいて、ディスプレイ２０１の最適な輝度を予測する。
暫定輝度は、表示部分の光強度を強くするだけである。このとき、表示部分が大きけば虚像表示範囲の輝度が高くなるが、表示部分が小さければ虚像表示範囲の輝度がそれほど高くならない。そこで、適用色決定部１１５は虚像表示範囲の推定輝度がどのくらいになるかを計算する。簡単には、輝度の平均値を推定輝度として求めることができる。この推定輝度が目標輝度よりも大きい場合には、適用色決定部１１５は暫定輝度を表示部分の適用輝度に決定する。これにより、順応に必要な輝度が確保され、運転者が眩しいと感じることなく、ディスプレイ２０１の視認性が維持される。推定輝度が目標輝度よりも小さい場合には、そのままでは、順応に必要な輝度が確保されない。そのため、適用色決定部１１５は、背景部分にオフセットをのせることによって、順応に必要な輝度を確保する。オフセットをのせすぎて視認性が低下する場合には、適用色決定部１１５は、表示部分の輝度も増加させる。
【００５４】
ステップＳ１６０を説明する。
ステップＳ１６０において、制御部１１６は、表示部分の適用輝度と背景部分の適用輝度とに基づいて、ディスプレイ２０１を制御する。
つまり、制御部１１６は、表示部分の輝度が表示部分の適用輝度に調整され、背景部分の輝度が背景部分の適用輝度に調整されるように、ディスプレイ２０１を制御する。
例えば、制御部１１６は、表示部分の適用輝度と背景部分の適用輝度とを指定する信号をディスプレイ２０１に入力する。
【００５５】
ディスプレイ２０１は、表示部分の輝度を表示部分の適用輝度に調整し、背景部分の輝度を背景部分の適用輝度に調整する。
【００５６】
＊＊＊実施の形態１の効果＊＊＊
本実施の形態によれば、周囲の光環境を撮影しながら、車両に届く光の強度を推測し、順応と視認性との双方を考慮し、ディスプレイ２０１における最適な輝度を決定することができる。その結果、ディスプレイ２０１における視認性が維持されるとともに、運転者の順応状態が明順応に近づく。そして、運転者の眩しさを減じるとともに、ディスプレイ２０１の見易さを確保することが可能になる。
【００５７】
＊＊＊他の構成＊＊＊
ディスプレイ２１０は、ヘッドアップディスプレイ以外の表示装置であってもよい。例えば、ディスプレイ２１０は、インストルメントパネルの計器、カーナビゲーションシステムの画面または電子ミラー用の画面であってもよい。
【００５８】
実施の形態２．
実施の形態１では、色を構成する１要素である明度を例とし、外光の明度の度合いを外光強度として、当該外光強度に基づきディスプレイへの表示の輝度を制御する場合について説明した。しかし、明度に限らず、色を構成する他の要素である色相または彩度、もしくは色相と明度と彩度とにおけるいずれかの組み合わせを用いて、ディスプレイへの表示を制御しても良い。
実施の形態２では、色相、明度または彩度のいずれか、もしくはこれらの組み合わせを「色」として、外光の色を考慮した形態について、主に実施の形態１と異なる点を図６から図８に基づいて説明する。
【００５９】
＊＊＊構成の説明＊＊＊
車載システム２００の構成は、実施の形態１における構成と同じである（図１参照）。
【００６０】
図６に基づいて、車載表示制御装置１００の構成を説明する。
車載表示制御装置１００は、実施の形態１における外光強度推定部１１１の代わりに、外光色推定部１１９という要素を備える。外光色推定部１１９はソフトウェアによって実現される。
車載表示制御プログラムは、外光強度推定部１１１の代わりに外光色推定部１１９としてコンピュータを機能させる。
【００６１】
＊＊＊動作の説明＊＊＊
図７に基づいて、車載表示制御方法を説明する。
ステップＳ２１０からステップＳ２６０は繰り返し実行される。
【００６２】
ステップＳ２１０において、外光色推定部１１９は、車両の外光色を推定する。
車両の外光色は、車両の中に届く外光の色を意味する。
色は、明るさ（輝度）、色味（色相）および鮮やかさ（彩度）で表される。色味と鮮やかさとの組は色度と呼ばれる。
【００６３】
図８に基づいて、外光色推定処理（Ｓ２１０）の手順を説明する。
ステップＳ２１１において、外光色推定部１１９は、周辺画像を取得する。
ステップＳ２１１は、実施の形態１におけるステップＳ１１１と同じである（図４参照）。
【００６４】
ステップＳ２１２において、外光色推定部１１９は、周辺画像の各画素の値を色に換算する。
【００６５】
例えば、外光色推定部１１９は、周辺画像の画素毎に、画素値とカメラ２１１の設定値とに対応する色を色換算テーブルから取得する。
色換算テーブルは、複数の画素値と複数の設定値と複数の色とを互いに対応付けるテーブルであり、記憶部１２０に予め記憶される。
【００６６】
ステップＳ２１２について補足する。
外光色推定部１１９は、カメラ２１１の設定値によって光の観測濃度が異なることを考慮し、実際の光の色を推定する。
【００６７】
ステップＳ２１３から説明を続ける。
ステップＳ２１３において、外光色推定部１１９は、周辺画像の各画素の色に基づいて、車両の外光色を算出する。
【００６８】
外光色推定部１１９は、車両の外光色を以下のように算出する。
まず、外光色推定部１１９は、周辺画像から特定領域を選択する。
そして、外光色推定部１１９は、特定領域の各画素の色を用いて、車両の外光色を算出する。例えば、外光色推定部１１９は、特定領域の色の平均を算出する。算出される色が車両の外光色である。
【００６９】
ステップＳ２１３について補足する。
外光の強度だけを考慮すると、順応状態及び視認性が適切に推測できない場合がある。例えば、外光がトンネルの光または夕日の光である場合にはオレンジ色の強い光が外光として観測される。この場合、外光の強度だけに着目すると、オレンジ色またはオレンジ色に近い赤い色の文字の視認性が大幅に低下してしまう。そのため、外光の色も考慮することが望ましい。
【００７０】
ステップＳ２１４を説明する。
ステップＳ２１４において、外光色推定部１１９は、車両の外光色を時刻に対応付けて外光色データに登録する。
外光色データは、外光色の時系列を示す。つまり、外光色データは、１つ以上の外光色を時系列で示す。外光色データは記憶部１２０に記憶される。
【００７１】
図７に戻り、ステップＳ２２０から説明を続ける。
ステップＳ２２０において、順応状態判定部１１２は、外光色データに示される外光色の時系列に基づいて、色に対する運転者の順応状態を判定する。
【００７２】
順応状態判定部１１２は、色に対する運転者の順応状態を以下のように判定する。
まず、順応状態判定部１１２は、外光色データに示される現在の外光色に基づいて、車内の現在の室内色を判定する。例えば、室内色データが記憶部１２０に予め記憶される。室内色データは、複数の色範囲と複数の室内色とを互いに対応付ける。そして、順応状態判定部１１２は、現在の外光色が属する色範囲に対応する室内色を室内色データから取得する。
そして、順応状態判定部１１２は、外光色データに示される１つ以上の外光色に基づいて、順応状態についての経過時間を算出する。例えば、順応状態判定部１１２は、外光色データから時刻の新しい順に外光色を取得し、取得した外光色に基づいて当該時刻における室内色を判定する。そして、順応状態判定部１１２は、各時刻における室内色に基づいて、現在の室内色の経過時間を算出する。
さらに、順応状態判定部１１２は、現在の室内色の前の室内色と現在の室内色とに基づいて、色に対する順応状態を決定する。色に対する順応状態には、明暗順応、色順応および経過時間などの情報が含まれる。
【００７３】
ステップＳ２２０について補足する。
例えば、晴天の屋外から白熱電球で照明された屋内に入ると、はじめは部屋の空間がオレンジ色に感じられるが、次第にオレンジ色が感じられなくなる。
この現象は、人間の網膜にある３種類の錐体における感度の調整によって起こると考えられている。３種類の錐体はＬ錐体、Ｍ錐体およびＳ錐体である。各錐体は色を感じる細胞である。
屋外にいるときには、各錐体の感度がほぼ同じである。しかし、屋内に入ると長波長の強度が強いオレンジ色の光に反応してＬ錐体の応答出力が高くなり、空間全体がオレンジ色に感じられる。しかし、時間の経過とともに各錐体の感度が調整され、空間全体が白く感じられるようになる。
国際照明委員会（ＣＩＥ）は、色に対する順応状態を考慮して定量化された色空間について、色の見えモデル（ＣＡＭ）を規格化している。そして、ＣＩＥは、ＣＩＥＣＡＭ０２の技術文書（非特許文献２）を発行している。
ＣＩＥＣＡＭ０２では、観察条件が観察パラメータとして設定される。この観察パラメータを周囲の状況に合わせることで、完全に順応した際に感じる色と、順応輝度とがそれぞれ求められる。
【００７４】
ステップＳ２３０を説明する。
ステップＳ２３０において、目標色決定部１１３は、色に対する運転者の順応状態に基づいて、虚像表示範囲の目標色を決定する。
例えば、色モデルが記憶部１２０に予め記憶される。色モデルは、後述する色の見えモデルに相当するデータであり、複数の順応状態と複数の順応色とを互いに対応付ける。そして、目標色決定部１１３は、色に対する運転者の順応状態に対する順応色を色モデルから選択する。選択される順応色が虚像表示範囲の目標色である。
【００７５】
ステップＳ２３０について補足する。
ＣＩＥＣＡＭ０２においては、周囲の状況として、ａｖｅｒａｇｅ、ｄｉｍまたはｄａｒｋなどの観察パラメータが規定される。但し、これらの観察パラメータ間の値を周囲の状況についての観察パラメータとして利用することも可能である。求められた順応輝度と求められた色とを達成することが目標となる。
本実施の形態では、明暗順応と色順応とをそれぞれ分けて求めている。しかし、双方を一度に求めることが可能であれば、双方を一度に求めるようにしてもよい。例えば、双方を一度に求めるためのモデルを用意し、そのモデルを用いることによって双方を一度に求めてもよい。
【００７６】
ステップＳ２４０を説明する。
ステップＳ２４０において、暫定色決定部１１４は、車両の外光色に基づいて、表示部分の暫定色を決定する。
【００７７】
例えば、暫定色決定部１１４は、以下の方法のいずれかによって、表示部分の暫定色を決定する。
暫定色決定部１１４は、車両の外光色に対する補色を表示部分の暫定色に決定する。つまり、車両の外光色がオレンジ色である場合、暫定色決定部１１４は、青緑色を表示部分の暫定色に決定する。青緑色はオレンジ色に対する補色である。
暫定色決定部１１４は、外光色に対して規定色差を有する色を表示部分の暫定色に決定する。規定色差は予め決められた色差である。
【００７８】
ステップＳ２４０について補足する。
暫定色決定部１１４は、ディスプレイ２０１の視認性を維持するために輝度と色とを予測する。外光色を考慮することにより、視認性の推定が向上する。
例えば、外光色がオレンジ色である場合、輝度が高くても赤い表示が見えにくくなる可能性がある。この場合、視認性が維持されるように、別の色で情報を表示するとよい。別の色は、オレンジ色の補色にあたる青緑色でもよい。また、ＣＩＥＣＡＭ、ＲＧＢまたはＣＩＥＬＡＢなどの色空間において、色差が一定以上に保たれることで視認性が維持される。色差は、簡単には、色空間におけるユークリッド距離で表される。また、色差は、ＣＩＥ及びＩＳＯで標準化されたＣＩＥＤＥ２０００を用いて求めることもできる（非特許文献３を参照）。
通常、色が接している状態において、ＣＩＥＬＡＢで規定されている色差が１０を越えると人間は容易に色を区別できる。文字または記号について、色差を用いた予測式が研究されている（非特許文献４を参照）。これが使用されても良い。
【００７９】
ステップＳ２５０を説明する。
ステップＳ２５０において、適用色決定部１１５は、虚像表示範囲の目標色と表示部分の暫定色とに基づいて、ディスプレイ２０１の適用色を決定する。
具体的には、適用色決定部１１５は、表示部分の適用色と背景部分の適用色とを決定する。
適用色は、ディスプレイ２０１の該当部分に適用される色である。
【００８０】
適用色決定部１１５は、ディスプレイ２０１の適用色を以下のように決定する。
まず、適用色決定部１１５は、表示部分の色が暫定色に調整された場合における虚像表示範囲の推定色を算出する。例えば、適用色決定部１１５は、外光色と暫定色と基準色とを互いに重畳して得られる色を算出する。算出される色が虚像表示範囲の推定色である。
【００８１】
虚像表示範囲の推定色が無彩色でない場合、適用色決定部１１５は、虚像表示範囲の推定色を目標色と比較する。
そして、適用色決定部１１５は、比較結果に基づいて、表示部分の適用色と背景部分の適用色とを決定する。
推定色と目標色との色差が色差閾値以下である場合、適用色決定部１１５は、暫定色を表示部分の適用色に決定し、基準色を背景部分の適用色に決定する。
推定色と目標色との色差が色差閾値より大きい場合、適用色決定部１１５は、暫定色と基準色との少なくともいずれかを変更することによって、暫定色と基準色との色差を小さくする。
【００８２】
虚像表示範囲の推定色が無彩色である場合、適用色決定部１１５は、暫定色と基準色との少なくともいずれかを変更することによって、暫定色と基準色との色差を小さくする。
【００８３】
暫定色を変更しない場合、適用色決定部１１５は、暫定色を表示部分の適用色に決定する。
暫定色を変更した場合、適用色決定部１１５は、変更後の暫定色を表示部分の適用色に決定する。
基準色を変更しない場合、適用色決定部１１５は、基準色を背景部分の適用色に決定する。
基準色を変更した場合、適用色決定部１１５は、変更後の基準色を背景部分の適用色に決定する。
【００８４】
ステップＳ２５０について補足する。
適用色決定部１１５は、輝度だけではなく色も考慮して、ディスプレイ２０１の制御内容を決定する。基本的には、ディスプレイ２０１における色の平均に基づいてディスプレイ２０１における適用色が決定される。しかし、表示部分の色と背景部分の色とが大きく異なる場合、ディスプレイ２０１における色の平均が無彩色になってしまう可能性がある。その場合、適用色決定部１１５は、目標輝度を達成する適用輝度を優先しつつ、視認性を維持できるように適用色を調整する。
目標色の明るさが目標輝度と異なり、暫定色の明るさが暫定輝度と異なる場合、輝度を優先し、輝度に合わせて目標色および暫定色が変更されてもよい。
【００８５】
ステップＳ２６０を説明する。
ステップＳ２６０において、制御部１１６は、表示部分の適用色と背景部分の適用色とに基づいて、ディスプレイ２０１を制御する。
つまり、制御部１１６は、表示部分の色が表示部分の適用色に調整され、背景部分の色が背景部分の適用色に調整されるように、ディスプレイ２０１を制御する。
例えば、制御部１１６は、表示部分の適用色と背景部分の適用色とを指定する信号をディスプレイ２０１に入力する。
【００８６】
ディスプレイ２０１は、表示部分の色を表示部分の適用色に調整し、背景部分の色を背景部分の適用色に調整する。
【００８７】
＊＊＊実施の形態２の効果＊＊＊
本実施の形態によれば、周囲の光環境を撮影しながら、車両に届く光の強度と車両に届く光の色とを推測し、順応と視認性との双方を考慮し、ディスプレイ２０１における最適な輝度とディスプレイ２０１における最適な色とを決定することができる。その結果、外光色が白色ではない場合であっても、ディスプレイ２０１における視認性が維持されるとともに、運転者の順応状態が明順応に近づく。そして、運転者の眩しさを減じることが可能になる。
【００８８】
実施の形態３．
外光の光源までの距離を考慮した形態について、主に実施の形態１と異なる点を図９から図１１に基づいて説明する。
【００８９】
＊＊＊構成の説明＊＊＊
図９に基づいて、車載システム２００の構成を説明する。
車載システム２００は、さらに、距離センサ２１２と通信装置２１３と測位装置２１４とを備える。
距離センサ２１２は、光源までの距離を計測するためのセンサである。例えば、距離センサ２１２は、ミリ波レーダ、ＬｉＤＡＲ（Ｌｉｇｈｔ  Ｄｅｔｅｃｔｉｏｎ  ａｎｄ  Ｒａｎｇｉｎｇ）またはソナーなどである。
通信装置２１３は、車車間通信のための通信装置である。具体的には、通信装置２１３はレシーバおよびトランスミッタである。
測位装置２１４は、車両を測位する装置である。例えば、測位装置２１４は、ＧＰＳ（Ｇｌｏｂａｌ  Ｐｏｓｉｔｉｏｎｉｎｇ  Ｓｙｓｔｅｍ）を利用することによって、測位を行う。
【００９０】
図１０に基づいて、車載表示制御装置１００の構成を説明する。
車載表示制御装置１００は、実施の形態１における要素に加えて、距離検知部１１７という要素を備える。距離検知部１１７はソフトウェアで実現される。
車載表示制御プログラムは、さらに、距離検知部１１７としてコンピュータを機能させる。
【００９１】
＊＊＊動作の説明＊＊＊
図１１に基づいて、車載表示制御方法を説明する。
ステップＳ３１０からステップＳ３７０は繰り返し実行される。
【００９２】
ステップＳ３１０において、外光強度推定部１１１は、車両の外光強度を推定する。
推定方法は、実施の形態１におけるステップＳ１１０の方法と同じである（図４参照）。
【００９３】
ステップＳ３２０において、距離検知部１１７は、光源距離を検知する。
光源距離は、外光を発する光源までの距離である。
【００９４】
そして、光源距離を距離検知部１１７は、光源距離を時刻に対応付けて光源距離データに登録する。
光源距離データは、光源距離の時系列を示すデータである。つまり、光源距離データは、１つ以上の光源距離を時系列で示す。光源距離データは記憶部１２０に記憶される。
【００９５】
例えば、距離検知部１１７は、光源距離を以下のように検知する。
まず、距離検知部１１７は、周辺画像に基づいて光源方向を判定する。光源方向は、周辺画像に映っている光源が車両に対して位置する方向である。具体的には、距離検知部１１７は、周辺画像の各画素の値に基づいて周辺画像における光源の位置を検出する。そして、距離検知部１１７は、カメラ２１１の撮影パラメータ（撮影方向および撮影範囲など）と周辺画像における光源の位置とに基づいて、光源方向を算出する。
そして、距離検知部１１７は、距離センサ２１２を用いて、光源方向に位置する光源までの距離を測定する。
【００９６】
例えば、距離検知部１１７は、光源距離を以下のように検知する。外光の光源が対向車のヘッドライトであるものとする。
まず、距離検知部１１７は、通信装置２１３を用いて対向車と通信する。これにより、距離検知部１１７は、対向車の情報を得ることができる。例えば、位置情報、速度情報およびヘッドライト情報などを得ることができる。
また、距離検知部１１７は、測位装置２１４から車両の位置情報を得る。測位装置の具体例はＧＰＳ（Ｇｌｏｂａｌ  Ｐｏｓｉｔｉｏｎｉｎｇ  Ｓｙｓｔｅｍ）である。
そして、距離検知部１１７は、車両の位置情報と対向車の位置情報とに基づいて、対向車までの距離を算出する。
【００９７】
例えば、距離検知部１１７は、光源距離を以下のように検知する。カメラ２１１がステレオカメラであるものとする。
距離検知部１１７は、ステレオカメラによって得られる複数の周辺画像を画像処理することによって、複数の周辺画像に映っている光源について光源距離を算出する。
【００９８】
ステップＳ３３０において、順応状態判定部１１２は、外光強度データに基づいて、運転者の順応状態を判定する。
判定方法は、実施の形態１におけるステップＳ１２０の方法と同じである（図３参照）。
【００９９】
ステップＳ３４０において、目標色決定部１１３は、運転者の順応状態に基づいて、虚像表示範囲の目標輝度を決定する。
決定方法は、実施の形態１におけるステップＳ１３０の方法と同じである。
【０１００】
また、目標色決定部１１３は、光源距離データに基づいて、光源距離の変化傾向を判定する。つまり、目標色決定部１１３は、光源が近づいているか又は光源が遠ざかっているかを判定する。
【０１０１】
そして、目標色決定部１１３は、光源距離の変化傾向に基づいて、ディスプレイ２０１の目標輝度を調整する。
光源距離が短くなる傾向にある場合、つまり、光源が近づいている場合、目標色決定部１１３は、ディスプレイ２０１の目標輝度を輝度調整量だけ下げる。
光源距離が長くなる傾向にある場合、つまり、光源が遠ざかっている場合、目標色決定部１１３は、ディスプレイ２０１の目標輝度を輝度調整量だけ上げる。
輝度調整量は予め決められた値である。但し、輝度調整量は光源距離の変化の速さに基づいて算出されてもよい。
【０１０２】
ステップＳ３５０において、暫定色決定部１１４は、車両の外光強度と背景部分の基準輝度と目標コントラスト比とに基づいて、表示部分の暫定輝度を決定する。
決定方法は、実施の形態１におけるステップＳ１４０の方法と同じである。
【０１０３】
ステップＳ３６０において、適用色決定部１１５は、ディスプレイ２０１の目標輝度と表示部分の暫定輝度とに基づいて、ディスプレイ２０１の適用輝度を決定する。
決定方法は、実施の形態１におけるステップＳ１５０の方法と同じである。
【０１０４】
ステップＳ３７０において、制御部１１６は、表示部分の適用輝度と背景部分の適用輝度とに基づいて、ディスプレイ２０１を制御する。
制御方法は、実施の形態１におけるステップＳ１６０の方法と同じである。
【０１０５】
＊＊＊実施の形態３の効果＊＊＊
本実施の形態によれば、光源までの距離を考慮しながら連続的に順応状態を移行させることができる。その結果、運転者に負担を与えることなく、視認性の維持と眩しさの低減とが可能になる。
【０１０６】
＊＊＊他の構成＊＊＊
本実施の形態に実施の形態２を適用してもよい。つまり、外光色（外光強度を含む）を考慮してディスプレイ２０１の適用色を決定してもよい。
【０１０７】
外光強度の推定精度を向上させるために光源距離を利用してもよい。
車両に対する対向車の相対速度を光源距離の時系列に基づいて算出し、他の順応状態に変化するまでの時間を相対速度に基づいて推定し、推定した時間を目標輝度の決定に利用してもよい。
【０１０８】
実施の形態４．
外光を発するヘッドライトの種類を考慮した形態について、主に実施の形態１と異なる点を図１２から図１５に基づいて説明する。
【０１０９】
＊＊＊構成の説明＊＊＊
図１２に基づいて、車載システム２００の構成を説明する。
車載システム２００は、さらに、通信装置２１３を備える。
通信装置２１３は、車車間通信のための通信装置である。具体的には、通信装置２１３はレシーバおよびトランスミッタである。
【０１１０】
図１３に基づいて、車載表示制御装置１００の構成を説明する。
車載表示制御装置１００は、実施の形態１における要素に加えて、光源検知部１１８という要素を備える。光源検知部１１８はソフトウェアで実現される。
車載表示制御プログラムは、さらに、光源検知部１１８としてコンピュータを機能させる。
【０１１１】
＊＊＊動作の説明＊＊＊
図１４に基づいて、車載表示制御方法を説明する。
ステップＳ４１０からステップＳ４６０は繰り返し実行される。
【０１１２】
ステップＳ４１０において、外光強度推定部１１１は、対向車のヘッドライトの種類に基づいて、車両の外光強度を推定する。
対向車のヘッドライトは、外光を発する光源である。
外光強度推定処理（Ｓ４１０）の詳細については後述する。
【０１１３】
ステップＳ４２０からステップＳ４６０は、実施の形態１におけるステップＳ１２０からステップＳ１６０と同じである。
【０１１４】
図１５に基づいて、外光強度推定処理（Ｓ４１０）を説明する。
ステップＳ４１１において、外光強度推定部１１１は、周辺画像を取得する。
ステップＳ４１１は、実施の形態１におけるステップＳ１１１と同じである（図４参照）。
【０１１５】
ステップＳ４１２において、外光強度推定部１１１は、周辺画像の各画素の値を光強度に換算する。
ステップＳ４１２は、実施の形態１におけるステップＳ１１２と同じである（図４参照）。
【０１１６】
ステップＳ４１３において、光源検知部１１８は、対向車のヘッドライトの種類を検知する。
【０１１７】
具体的には、光源検知部１１８は、対向車のヘッドライトが配光可変ヘッドライトであるか否かを判定する。
配光可変ヘッドライトは、他車両または歩行者の有無に応じて配光を調整するヘッドライトである。
【０１１８】
例えば、光源検知部１１８は、ヘッドライトの種類を以下のように検知する。
光源検知部１１８は、周辺画像を画像解析することによって、前記周辺画像に映っているヘッドライトの種類を検知する。具体的には、光源検知部１１８は、周辺画像の各画素の値に基づいて周辺画像からヘッドライト部分を選択する。ヘッドライト部分はヘッドライトが映っている部分である。そして、光源検知部１１８は、ヘッドライト部分を画像解析することによって、ヘッドライトの種類を検知する。
【０１１９】
例えば、光源検知部１１８は、ヘッドライトの種類を以下のように検知する。
光源検知部１１８は、通信装置２１３を用いて対向車と通信することによって、対向車からヘッドライト情報を取得する。ヘッドライト情報はヘッドライトの種類を示す。
そして、光源検知部１１８は、ヘッドライト情報に基づいて、ヘッドライトの種類を検知する。
【０１２０】
ステップＳ４１４において、外光強度推定部１１１は、周辺画像の各画素の光強度に基づいて、車両の外光強度を算出する。
算出方法は、実施の形態１におけるステップＳ１１３と同じである（図４参照）。
【０１２１】
そして、外光強度推定部１１１は、対向車のヘッドライトの種類に基づいて、車両の外光強度の値を調整する。
【０１２２】
例えば、外光強度推定部１１１は、車両の外光強度の値を以下のように調整する。
対向車のヘッドライトが配光可変ヘッドライトである場合、対向車のヘッドライトからの光強度が抑えられると考えられる。そのため、外光強度推定部１１１は、車両の外光強度を調整量だけ下げる。調整量は予め決められた値である。但し、調整量は車内の外光強度に基づいて算出されてもよい。
対向車のヘッドライトが配光可変ヘッドライトでない場合、外光強度推定部１１１は、車両の外光強度を変えない。
【０１２３】
ステップＳ４１５において、外光強度推定部１１１は、車両の外光強度を時刻に対応付けて外光強度データに登録する。
ステップＳ４１５は、実施の形態１におけるステップＳ１１４と同じである（図４参照）。
【０１２４】
＊＊＊実施の形態４の効果＊＊＊
本実施の形態によれば、外光を発するヘッドライトの種類を考慮して外光強度を推定し、順応と視認性との双方を考慮し、ディスプレイ２０１における最適な輝度を決定することができる。その結果、ディスプレイ２０１における視認性が維持されるとともに、運転者の順応状態が明順応に近づく。そして、運転者の眩しさを減じることが可能になる。
【０１２５】
＊＊＊他の構成＊＊＊
本実施の形態に実施の形態２を適用してもよい。つまり、外光色（外光強度を含む）を考慮してディスプレイ２０１の適用色を決定してもよい。
【０１２６】
本実施の形態に実施の形態３を適用してもよい。つまり、外光を発する光源までの距離を考慮してディスプレイ２０１の適用輝度を決定してもよい。
【０１２７】
実施の形態５．
車内の光を考慮した形態について、主に実施の形態２と異なる点を図１６から図１８に基づいて説明する。
【０１２８】
＊＊＊構成の説明＊＊＊
図１６に基づいて、車載システム２００の構成を説明する。
車載システム２００は、さらに、光センサ２１５を備える。
光センサ２１５は、車内の輝度を測定するセンサである。ここでは、ドライバモニタシステム（ＤＭＳ）においてドライバをモニタリングするために利用されるカメラを光センサ２１５として利用する。
【０１２９】
車載表示制御装置１００の構成は、実施の形態１における構成と同じである（図２参照）。
【０１３０】
図１７に基づいて、車載表示制御方法を説明する。
ステップＳ５１０からステップＳ５６０は繰り返し実行される。
【０１３１】
ステップＳ５１０において、外光強度推定部１１１は、車内の輝度に基づいて、車両の外光強度を推定する。
外光強度推定処理（Ｓ５１０）の詳細については後述する。
【０１３２】
ステップＳ５２０からステップＳ５６０は、実施の形態１におけるステップＳ１２０からステップＳ１６０と同じである。
【０１３３】
図１８に基づいて、外光強度推定処理（Ｓ５１０）を説明する。
ステップＳ５１１において、外光強度推定部１１１は、周辺画像を取得する。
ステップＳ５１１は、実施の形態１におけるステップＳ１１１と同じである（図４参照）。
【０１３４】
ステップＳ５１２において、外光強度推定部１１１は、周辺画像の各画素の値を光強度に換算する。
ステップＳ５１２は、実施の形態１におけるステップＳ１１２と同じである（図４参照）。
【０１３５】
ステップＳ５１３において、外光強度推定部１１１は、光センサ２１５を用いて、車内輝度を計測する。
【０１３６】
ステップＳ５１４において、外光強度推定部１１１は、周辺画像の各画素の光強度に基づいて、車両の外光強度を算出する。
算出方法は、実施の形態１におけるステップＳ１１３と同じである（図４参照）。
【０１３７】
そして、外光強度推定部１１１は、車内輝度に基づいて、車両の外光強度の値を調整する。
【０１３８】
例えば、外光強度推定部１１１は、車両の外光強度の値を以下のように調整する。
外光強度推定部１１１は、外光強度を車内輝度と比較する。
外光強度が車内輝度より大きい場合、外光強度推定部１１１は、外光強度を調整量だけ下げる。
外光強度が車内輝度より小さい場合、外光強度推定部１１１は、外光強度を調整量だけ上げる。
調整量は予め決められた値である。但し、調整量は外光強度と車内輝度との差に基づいて算出されてもよい。
【０１３９】
ステップＳ５１５において、外光強度推定部１１１は、車両の外光強度を時刻に対応付けて外光強度データに登録する。
ステップＳ５１５は、実施の形態１におけるステップＳ１１４と同じである（図４参照）。
【０１４０】
＊＊＊実施の形態５の効果＊＊＊
本実施の形態によれば、車内の光を考慮して外光強度を推定し、順応と視認性との双方を考慮し、ディスプレイ２０１における最適な輝度を決定することができる。その結果、ディスプレイ２０１における視認性が維持されるとともに、運転者の順応状態が明順応に近づく。そして、運転者の眩しさを減じることが可能になる。
【０１４１】
＊＊＊他の構成＊＊＊
本実施の形態に実施の形態２を適用してもよい。つまり、外光色（外光強度を含む）を考慮してディスプレイ２０１の適用色を決定してもよい。
ディスプレイ２０１の適用色を決定するために、さらに、車内色が考慮されてもよい。この場合、外光色推定部１１９は、光センサ２１５を用いて、車内色を測定する。そして、外光色推定部１１９は、車内色に基づいて外光色の値を調整する。具体的には、外光色推定部１１９は、外光色の値を車内色の値に調整量だけ近づける。調整量は予め決められた値である。但し、調整量は外光色と車内色との色差に基づいて算出されてもよい。
【０１４２】
本実施の形態に実施の形態３を適用してもよい。つまり、外光を発する光源までの距離を考慮してディスプレイ２０１の適用輝度を決定してもよい。
【０１４３】
本実施の形態に実施の形態４を適用してもよい。つまり、ヘッドライトの種類を考慮してディスプレイ２０１の適用輝度を決定してもよい。
また、本実施の形態ではＤＭＳのカメラが光センサ２１５として用いられているが、新たな光センサが車両に搭載されても良い。
【０１４４】
＊＊＊実施の形態の補足＊＊＊
図１９に基づいて、車載表示制御装置１００のハードウェア構成を説明する。
車載表示制御装置１００は処理回路１０９を備える。
処理回路１０９は、外光強度推定部１１１と順応状態判定部１１２と目標色決定部１１３と暫定色決定部１１４と適用色決定部１１５と制御部１１６と距離検知部１１７と光源検知部１１８と外光色推定部１１９と記憶部１２０とを実現するハードウェアである。
処理回路１０９は、専用のハードウェアであってもよいし、メモリ１０２に格納されるプログラムを実行するプロセッサ１０１であってもよい。
【０１４５】
処理回路１０９が専用のハードウェアである場合、処理回路１０９は、例えば、単一回路、複合回路、プログラム化したプロセッサ、並列プログラム化したプロセッサ、ＡＳＩＣ、ＦＰＧＡまたはこれらの組み合わせである。
ＡＳＩＣはＡｐｐｌｉｃａｔｉｏｎ  Ｓｐｅｃｉｆｉｃ  Ｉｎｔｅｇｒａｔｅｄ  Ｃｉｒｃｕｉｔの略称であり、ＦＰＧＡはＦｉｅｌｄ  Ｐｒｏｇｒａｍｍａｂｌｅ  Ｇａｔｅ  Ａｒｒａｙの略称である。
車載表示制御装置１００は、処理回路１０９を代替する複数の処理回路を備えてもよい。複数の処理回路は、処理回路１０９の役割を分担する。
【０１４６】
処理回路１０９において、一部の機能が専用のハードウェアで実現されて、残りの機能がソフトウェアまたはファームウェアで実現されてもよい。
【０１４７】
このように、処理回路１０９はハードウェア、ソフトウェア、ファームウェアまたはこれらの組み合わせで実現することができる。
【０１４８】
実施の形態は、好ましい形態の例示であり、本発明の技術的範囲を制限することを意図するものではない。実施の形態は、部分的に実施してもよいし、他の形態と組み合わせて実施してもよい。フローチャート等を用いて説明した手順は、適宜に変更してもよい。
【符号の説明】
【０１４９】
１００  車載表示制御装置、１０１  プロセッサ、１０２  メモリ、１０３  補助記憶装置、１０４  入出力インタフェース、１０９  処理回路、１１１  外光強度推定部、１１２  順応状態判定部、１１３  目標色決定部、１１４  暫定色決定部、１１５  適用色決定部、１１６  制御部、１１７  距離検知部、１１８  光源検知部、１１９  外光色推定部、１２０  記憶部、２００  車載システム、２０１  ディスプレイ、２１１  カメラ、２１２  距離センサ、２１３  通信装置、２１４  測位装置、２１５  光センサ。
【図１】
2020012546.tif 000003
【図２】
2020012546.tif 000004
【図３】
2020012546.tif 000005
【図４】
2020012546.tif 000006
【図５】
2020012546.tif 000007
【図６】
2020012546.tif 000008
【図７】
2020012546.tif 000009
【図８】
2020012546.tif 000010
【図９】
2020012546.tif 000011
【図１０】
2020012546.tif 000012
【図１１】
2020012546.tif 000013
【図１２】
2020012546.tif 000014
【図１３】
2020012546.tif 000015
【図１４】
2020012546.tif 000016
【図１５】
2020012546.tif 000017
【図１６】
2020012546.tif 000018
【図１７】
2020012546.tif 000019
【図１８】
2020012546.tif 000020
【図１９】
2020012546.tif 000021
【手続補正書】
【提出日】令和2年8月11日(2020.8.11)
【手続補正１】
【補正対象書類名】特許請求の範囲
【補正対象項目名】全文
【補正方法】変更
【補正の内容】
【特許請求の範囲】
【請求項１】
ディスプレイが搭載された車両について外光色の時系列を示す外光色データに基づいて、色に対する運転者の順応状態を判定する順応状態判定部と、
前記運転者の前記順応状態に基づいて表示範囲の目標色を決定する目標色決定部と、
前記目標色に基づいて前記ディスプレイの画面において情報が表示される表示部分の適用色を決定する適用色決定部と、
前記表示部分の前記適用色に基づいて前記ディスプレイを制御する制御部と、
前記車両の外光色に基づいて、前記表示部分の暫定色を決定する暫定色決定部と、
を備え、
前記適用色決定部は、前記表示部分の色が前記暫定色に調整された場合における前記表示範囲の推定色を算出し、前記推定色を前記目標色と比較し、比較結果に基づいて前記表示部分の前記適用色を決定する
車載表示制御装置。
【請求項２】
前記外光色データは、外光の明るさの度合いである外光強度の時系列を示し、
前記順応状態判定部は、前記外光色データに基づいて、色における明るさに対する順応状態を前記運転者の前記順応状態として判定し、
前記目標色決定部は、明るさに対する前記順応状態に基づいて前記表示範囲の目標輝度を前記目標色として決定し、
前記暫定色決定部、前記車両の外光色に基づいて、前記表示部分の暫定輝度を前記暫定色として決定し、
前記適用色決定部は、前記表示部分の輝度が前記暫定輝度に調整された場合における前記表示範囲の推定輝度を前記推定色として算出し、前記推定輝度を前記目標輝度と比較し、比較結果に基づいて前記表示部分の適用輝度を前記適用色として決定し、
前記制御部は、前記表示部分の前記適用輝度に基づいて前記ディスプレイを制御する
請求項１に記載の車載表示制御装置。
【請求項３】
前記車両には、カメラと光センサとが搭載され、
前記車載表示制御装置は、
前記カメラによって得られる周辺画像に基づいて外光色を算出し、前記光センサを用いて車内色を測定し、算出した外光色を前記車内色に基づいて調整する外光色推定部を備える
請求項１に記載の車載表示制御装置。
【請求項４】
前記車両には、カメラと光センサとが搭載され、
前記車載表示制御装置は、
前記カメラによって得られる周辺画像に基づいて外光強度を算出し、前記光センサを用いて車内輝度を測定し、算出した外光強度を前記車内輝度に基づいて調整する外光強度推定部を備える
請求項２に記載の車載表示制御装置。
【請求項５】
ディスプレイが搭載された車両について外光色の時系列を示す外光色データに基づいて、色に対する運転者の順応状態を判定する順応状態判定部と、
前記運転者の前記順応状態に基づいて表示範囲の目標色を決定する目標色決定部と、
前記目標色に基づいて前記ディスプレイの画面において情報が表示される表示部分の適用色を決定する適用色決定部と、
前記表示部分の前記適用色に基づいて前記ディスプレイを制御する制御部と
を備え、 前記目標色決定部は、外光を発する光源までの距離である光源距離の時系列を示す光源距離データに基づいて光源距離の変化傾向を判定し、光源距離の前記変化傾向に基づいて前記ディスプレイの前記目標色を調整する
車載表示制御装置。
【請求項６】
前記車両には、カメラと距離センサとが搭載され、
前記車載表示制御装置は、
前記カメラによって得られる周辺画像に基づいて光源方向を判定し、前記光源方向に位置する前記光源までの距離を前記距離センサを用いて測定する距離検知部を備える
請求項５に記載の車載表示制御装置。
【請求項７】
前記車両には、通信装置が搭載され、
前記車載表示制御装置は、
前記通信装置を用いて対向車と通信することによって前記対向車の位置情報を取得し、前記対向車の前記位置情報と前記車両の位置情報とに基づいて光源距離を算出する距離検知部を備える
請求項５に記載の車載表示制御装置。
【請求項８】
ディスプレイとカメラが搭載された車両について外光色の時系列を示す外光色データに基づいて、色に対する運転者の順応状態を判定する順応状態判定部と、
前記運転者の前記順応状態に基づいて表示範囲の目標色を決定する目標色決定部と、
前記目標色に基づいて前記ディスプレイの画面において情報が表示される表示部分の適用色を決定する適用色決定部と、
前記表示部分の前記適用色に基づいて前記ディスプレイを制御する制御部と、 対向車のヘッドライトが配光可変ヘッドライトであるか判定する光源検知部と、
前記カメラによって得られる周辺画像に基づいて外光色を算出し、前記対向車の前記ヘッドライトが前記配光可変ヘッドライトである場合に、算出した外光色を調整する外光色推定部と、
を備える車載表示制御装置。
【請求項９】
前記光源検知部は、前記周辺画像を画像解析することによって、前記周辺画像に映っている前記ヘッドライトが前記配光可変ヘッドライトであるか判定する
請求項８に記載の車載表示制御装置。
【請求項１０】
前記車両には、通信装置が搭載され、
前記光源検知部は、前記通信装置を用いて前記対向車と通信することによって前記対向車からヘッドライト情報を取得し、前記ヘッドライト情報に基づいて前記ヘッドライトが前記配光可変ヘッドライトであるか判定する
請求項８に記載の車載表示制御装置。
【請求項１１】
ディスプレイが搭載された車両について外光色の時系列を示す外光色データに基づいて、色に対する運転者の順応状態を判定する順応状態判定処理と、
前記運転者の前記順応状態に基づいて表示範囲の目標色を決定する目標色決定処理と、
前記目標色に基づいて前記ディスプレイの画面において情報が表示される表示部分の適用色を決定する適用色決定処理と、
前記表示部分の前記適用色に基づいて前記ディスプレイを制御する制御処理と、
前記車両の外光色に基づいて、前記表示部分の暫定色を決定する暫定色決定処理と、
をコンピュータに実行させるための車載表示制御プログラムであって、
前記適用色決定処理は、前記表示部分の色が前記暫定色に調整された場合における前記表示範囲の推定色を算出し、前記推定色を前記目標色と比較し、比較結果に基づいて前記表示部分の前記適用色を決定する
車載表示制御プログラム。
【国際調査報告】
2020012546.tif 000022
2020012546.tif 000023